(57)【要約】【課題】摩擦力を調整可能なヒンジ装置を提供する。【解決手段】第１の部材に対して第２の部材を相対的に回動可能に装着するヒンジ装置であって、第１の部材に対する取付部７を備えると共に軸嵌入孔１３及び当該軸嵌入孔１３に連通したスリット１５を備えた軸受ブロック３と、第２の部材に対する取付部２３を備えると共に前記軸嵌入孔１３に回動可能に嵌入した軸部１１を備えた軸部材５と、前記軸嵌入孔１３を縮径して前記軸部１１の締付力を調整自在の締付力調整部材１７とを備え、前記軸部１１と軸嵌入孔１３との間に柔軟な筒状部材２５を備え、前記筒状部材２５に、当該筒状部材２５の縮径を容易にするためのスリット２７を備えている。【選択図】図１
2005207466.tif 000002
【特許請求の範囲】
【請求項１】
第１の部材に対して第２の部材を相対的に回動可能に装着するヒンジ装置であって、第１の部材に対する取付部を備えると共に軸嵌入孔及び当該軸嵌入孔に連通したスリットを備えた軸受ブロックと、第２の部材に対する取付部を備えると共に前記軸嵌入孔に回動可能に嵌入した軸部を備えた軸部材と、前記軸嵌入孔を縮径して前記軸部の締付力を調整自在の締付力調整部材とを備えていることを特徴とするヒンジ装置。
【請求項２】
請求項１に記載のヒンジ装置において、前記軸部の外周面と軸嵌入孔の内周面との間に柔軟な筒状部材を備えていることを特徴とするヒンジ装置。
【請求項３】
請求項２に記載のヒンジ装置において、前記筒状部材に、当該筒状部材の縮径を容易にするためのスリットを備えていることを特徴とするヒンジ装置。
【請求項４】
接続機本体にモニタを回動可能に取付けてなる光ファイバ融着接続機において、前記接続機本体に対するモニタの取付部に、請求項１，２又は３に記載のヒンジ装置を備えていることを特徴とする光ファイバ融着接続機。
【発明の詳細な説明】
【技術分野】
【０００１】
本発明は、第１の部材に対して第２の部材を相対的に回動可能に装着するヒンジ装置に係り、さらに詳細には、第１の部材に対して第２の部材を相対的に回動するときの摩擦力を調整することのできるヒンジ装置に関する。
【背景技術】
【０００２】
従来、例えばノート型パソコン等においては、表示部を備えた蓋体を、パソコン本体に対してヒンジ装置を介して開閉自在に装着した構成が一般的である。そして、表示部を所望の傾斜角に設定可能なように、前記ヒンジ装置に適正の摩擦力を保持している。
【０００３】
本発明に関係する先行例としては特許文献１，２がある。
【特許文献１】特開平１１−３０３８５２号公報
【特許文献２】特開２００３−９０３２８号公報
【発明の開示】
【発明が解決しようとする課題】
【０００４】
前記特許文献１に記載のヒンジ装置は、図５に示すように、第１の部材に取付けるための軸受ブロック１００は、軸嵌入孔１０１及びこの軸嵌入孔１０１に連通したスリット１０２を備えた構成である。そして、第２の部材に取付けるための軸部材１０３の径は、前記軸嵌入孔１０１より僅かに大きく形成してある。上記構成により、前記軸嵌入孔１０１に軸部材１０３を嵌入したときに、前記軸嵌入孔１０１の内周面と軸部材１０３の外周面との間に生じる摩擦力によって、第１の部材に対して第２の部材を任意の回動角の位置に保持しようとするものである。
【０００５】
したがって、前記軸嵌入孔１０１の径寸法と軸部材１０３の径寸法との誤差が大きいと、軸嵌入孔１０１に軸部材１０３を嵌入したときの摩擦力が大きく変化するものであり、常に適正な摩擦力を得るには問題がある。また、経年変化によって摩擦力が変化すると、摩擦力を適正に調整することができないという問題がある。
【０００６】
前記特許文献２に記載の構成は、図６に示すように、第１の部材に取付ける軸受ブロック２００に備えた軸受２０１のテーパー孔に、第２の部材に取付ける軸部材２０２のテーパー状の軸部２０３を嵌入した後、上記軸部２０３の先端に備えた螺子部２０４にナット２０５を螺合し、このナット２０５と前記軸受２０１との間に介在した平ワッシャ、スプリングワッシャ２０６を締め付ける構成である。
【０００７】
上記構成により、ナット２０５を締付けたり、緩めたりすることにより、前記軸受２０１と軸部２０３との間の摩擦力を調整可能である。しかし、図６（Ｂ）に示すように、前述したごとき構成のヒンジ装置が左右対称に設けられている場合、例えば左側のナット２０５を緩めて右側のナット２０５を締付けると、左側のヒンジ装置における摩擦力は小さくなり、右側のヒンジ装置における摩擦力は大きくなるものである。
【０００８】
すなわち、特許文献２に記載の構成においては、軸部材を軸方向（スラスト方向）に僅かに移動することによって、テーパー孔と軸部材におけるテーパ部との嵌合状態を調節してヒンジ装置の摩擦力を調整しようとする構成であるから、ヒンジ装置を左右対称形に備えた構成においては、ヒンジ装置の摩擦力を適正な摩擦力に調整することが難しい、という問題がある。
【課題を解決するための手段】
【０００９】
本発明は、前述したごとき従来の問題に鑑みてなされたもので、第１の部材に対して第２の部材を相対的に回動可能に装着するヒンジ装置であって、第１の部材に対する取付部を備えると共に軸嵌入孔及び当該軸嵌入孔に連通したスリットを備えた軸受ブロックと、第２の部材に対する取付部を備えると共に前記軸嵌入孔に回動可能に嵌入した軸部を備えた軸部材と、前記軸嵌入孔を縮径して前記軸部の締付力を調整自在の締付力調整部材とを備えていることを特徴とするものである。
【００１０】
また、本発明は、上記ヒンジ装置において、前記軸部の外周面と軸嵌入孔の内周面との間に柔軟な筒状部材を備えていることを特徴とするものである。
【００１１】
また本発明は、上記ヒンジ装置において、前記筒状部材に、当該筒状部材の縮径を容易にするためのスリットを備えていることを特徴とするものである。
【００１２】
また、本発明は、接続機本体にモニタを回動可能に取付けてなる光ファイバ融着接続機において、前記接続機本体に対するモニタの取付部に、上記のヒンジ装置を備えていることを特徴とするものである。
【発明の効果】
【００１３】
本発明によれば、軸受ブロックに備えた軸嵌入孔に対して軸部材に備えた軸部を嵌入した状態において、締付力調整部材を操作することにより、前記軸部の締付力を調整することができ、前記軸嵌入孔と軸部との間の摩擦力を調節することができる。
【発明を実施するための最良の形態】
【００１４】
図１を参照するに、本発明の実施形態に係るヒンジ装置１は、軸受ブロック３と軸部材５とを備えている。上記軸受ブロック３には、例えばノート型パソコン等の本体に相当する第１の部材（図示省略）に対して当該軸受ブロック３を取付けるための取付部７が備えられており、この取付部７には、例えば取付ねじ（図示省略）を挿通するための取付孔９が備えられている。
【００１５】
さらに、前記軸受ブロック３には、前記軸部材５に備えた軸部１１を嵌入自在の軸嵌入孔１３が形成されていると共に、前記軸嵌入孔１３に連通したスリット１５が形成してある。そして、前記軸嵌入孔１３に嵌入した前記軸部１１の締付力を調整するために、前記軸受ブロック３には、前記軸嵌入孔１３の径を縮径自在の締付力調整部材の一例としての調整ねじ１７が螺合してある。この調整ねじ１７は、頭部側を軸受ブロック３に回転自在に支持され、先端側のねじ部が前記スリット１５を超えて可動端１９側に形成した螺子孔に螺合してある。
【００１６】
したがって、前記調整ねじ１７を締付けることにより軸嵌入孔１３の径を縮小することができ、軸嵌入孔１３に嵌入した前記軸部１１を締付けることができると共に、締付力を調整することができるものである。
【００１７】
前記軸部材５は、例えばノート型パソコンにおける蓋部材に相当する第２の部材（図示省略）に対して取付ねじ等によって取付けるための取付孔２１を形成した取付部２３を備えており、この取付部２３に前記軸部１１を一体に備えた構成である。
【００１８】
前記軸受ブロック３及び軸部材５は共に金属製であり、軸部材５に備えた前記軸部１１の外周面と前記軸受ブロック３の軸嵌入孔１３の内周面との間には、例えば樹脂、ゴム等よりなる柔軟な筒状部材２５が介在してある。上記筒状部材２５は、軸嵌入孔１３に対して回転不能状態に嵌入されるものであり、縮径（径を小さくすること）が容易であるように、前記筒状部材２５にはスリット２７が形成してある。なお、上記スリット２７は、必ずしもなくても良いものである。
【００１９】
なお、軸嵌入孔１３に対して筒状部材２５を回転不能に嵌入する構成としては、軸嵌入孔１３及び筒状部材２５の外周を非円形状とする構成や、軸嵌入孔１３と筒状部材２５との間にキーを介在する構成、あるいは筒状部材２５の一部を軸受ブロック３に固定する構成など種々の構成を採用することができるものである。
【００２０】
以上のごとき構成において、軸受ブロック３における軸嵌入孔１３内に筒状部材２３を回転不能に嵌入すると共に、この筒状部材２３内に軸部材５の軸部１１を嵌入した状態において、締付力調整部材としての調整ねじ１７を締付けると、軸嵌入孔１３に連通して設けたスリット１５の間隙が小さくなり、前記軸嵌入孔１３の径が小さくなるものである。
【００２１】
したがって、軸部材５における軸部１１は筒状部材２５によって締付けられることになり、筒状部材２５と前記軸部１１との間の摩擦力は、前記調整ねじ１７の締付けによって調整されることになる。よって、軸受ブロック３を取付けた第１の部材に対して、軸部材５を取付けた第２の部材を相対的に回動するときの摩擦力を、常に適正の摩擦力に調整することができるものである。
【００２２】
上記説明より理解されるように、軸受ブロック３の軸嵌入孔１３と軸部材５の軸部１１との間に、柔軟な筒状部材２５が介在してあることにより、前記軸嵌入孔１３及び前記軸部１１の寸法精度に多少の誤差があるような場合であっても、上記誤差を吸収して、前記軸受ブロック３の軸嵌入孔１３と軸部材５の軸部１１との間の摩擦力を適正に調節することが容易なものである。
【００２３】
前記軸受ブロック３及び軸部材５が共に金属製だと、繰り返しの摩擦摺動により摩擦面が削られ、金属同士のひっかかりにより常に安定した摩擦力を得ることができない。そこで、柔軟な筒状部材２５を介在させることにより、摩擦面の削れがなくなり、長期にわたり、常に安定した摩擦力を得ることができる。
【００２４】
ところで、軸部材５に備えた軸部１１に対する締付力を調整する構成としては、図２に示すように、可動端１９に一体的に立設した調整ねじ２９にアジャストナット３１を螺合して、このアジャストナット３１の締付けを調整する構成や、図３に示すように、軸受ブロック３を貫通した調整ねじ３３の先端部にアジャストナット３５を螺合し、このアジャストナット３５の締付けを調整する構成とすることも可能である。
【００２５】
すなわち、軸受ブロック３の軸嵌入孔１３に嵌入した軸部材５の軸部１１を締付けて摩擦力を調整する構成としては種々の構成を採用することができるものである。
【００２６】
既に理解されるように、ヒンジ装置１において軸受ブロック３と軸部材５との間の摩擦力を適正に調整することができるので、図４に示すように、光ファイバ融着接続機４１において、接続機本体４３に対するモニタ４５の取付部４７に前記ヒンジ装置１を採用することにより、前記モニタ４５を、自重でもって下らないように、（Ａ）〜（Ｄ）等の所望の姿勢に保持することができる。すなわち、前記光ファイバ融着接続機４１を、図４において右側から操作する場合や左側から操作する場合であっても、モニタ４５を邪魔にならず見やすい姿勢位置に位置決めして使用することができるものであり、より使用し易いものとなるものである。
【図面の簡単な説明】
【００２７】
【図１】本発明の実施形態に係るヒンジ装置の斜視分解説明図である。
【図２】本発明の第２の実施形態に係るヒンジ装置の説明図である。
【図３】本発明の第３の実施形態に係るヒンジ装置の説明図である。
【図４】本発明に係るヒンジ装置をモニタの取付部に採用した場合の光ファイバ融着接続機の説明図である。
【図５】従来のヒンジ装置の説明図である。
【図６】従来のヒンジ装置の説明図である。
【符号の説明】
【００２８】
１…ヒンジ装置
３…軸受ブロック
５…軸部材
７…取付部
１１…軸部
１３…軸嵌入孔
１５…スリット
１７…調整ねじ（締付力調整部材）
２３…取付部
２５…筒状部材
２７…スリット
【図１】
2005207466.tif 000003
【図２】
2005207466.tif 000004
【図３】
2005207466.tif 000005
【図４】
2005207466.tif 000006
【図５】
2005207466.tif 000007
【図６】
2005207466.tif 000008